(57)【要約】【課題】被読取面からの反射光が再び被読取面に照射される光の光量を低減することができる画像読取装置及び画像形成装置を得る。【解決手段】原稿読取装置１４は、発光部５９と、発光部５９から照射された光を読取原稿Ｇの被読取面ＧＡに導く導光部材６５と、被読取面ＧＡからの反射光を受光して被読取面ＧＡの画像を読み取る結像部２０と、を有する。導光部材６５は、光入射面６５Ｂと、光出射面６５Ａと、上側面６５Ｃとを有する。ここで、上側面６５Ｃが、光入射面６５Ｂから入射した光を反射させて光出射面６５Ａへ導き、且つ被読取面ＧＡからの反射光を透過させる。このため、被読取面ＧＡからの反射光が導光部材６５の内部を透過しない場合に比べて、被読取面ＧＡで反射された反射光が再び被読取面ＧＡに照射される光の光量を低減することができる。【選択図】図７
2014112905.tif 000002
【特許請求の範囲】
【請求項１】
光を出射する光源と、
前記光源から照射された光が入射する入射面と、被読取面に向けて光を出射する出射面と、前記入射面から入射した光を反射させて前記出射面へ導き且つ前記被読取面からの反射光を透過させる側面と、を備えた導光体と、
前記被読取面からの反射光を受光して、前記被読取面の画像を読み取る読取手段と、
を有する画像読取装置。
【請求項２】
前記導光体の側面の表面粗さは、ＪＩＳ−Ｂ−０６０１の算術平均粗さＲａで計測される表面粗さで０．１μｍ以下である請求項１に記載の画像読取装置。
【請求項３】
前記側面は、被読取面側の上側面と、該上側面と対向する下側面とを備え、
前記上側面に入射した光は、前記下側面へと透過する請求項１又は請求項２に記載の画像読取装置。
【請求項４】
前記導光体は、前記側面の一部が、該導光体の上方に配置された上方部材に対して、前記被読取面からの反射光を前記読取手段に導く光路の光軸側に突出している請求項１から請求項３のいずれか１項に記載の画像読取装置。
【請求項５】
前記上方部材に設けられ、前記被読取面からの反射光の正反射成分を前記導光体に導く角度で配置された導光手段を有する請求項４に記載の画像読取装置。
【請求項６】
請求項１から５のいずれか１項に記載の画像読取装置と、
前記画像読取装置の前記読取手段で読み取られた画像の情報に基づいて画像を形成する画像形成部と、
を有する画像形成装置。
【発明の詳細な説明】
【技術分野】
【０００１】
本発明は、画像読取装置及び画像形成装置に関する。
【背景技術】
【０００２】
従来、光源から出射された光を読取原稿に照射し、読取原稿で反射された光を結像レンズで光電変換素子に結像して画像を読み取る画像読取装置がある（例えば、特許文献１、２参照）。
【０００３】
特許文献１の画像読取装置は、読取原稿と対向して遮光板を配置し、遮光板の光源側の面の反射率を読取原稿側の面の反射率よりも高く設定すると共に、遮光板の読取原稿側の面を黒く塗装している。
【０００４】
特許文献２の画像読取装置は、光源である露光ランプが取り付けられるベース部材として、黒色鋼板を用いている。
【先行技術文献】
【特許文献】
【０００５】
【特許文献１】特開２００２−２４７２９７号公報
【特許文献２】特開２００６−１８９５３７号公報
【発明の概要】
【発明が解決しようとする課題】
【０００６】
本発明は、被読取面からの反射光が再び被読取面に照射される光の光量を低減することができる画像読取装置及び画像形成装置を得ることを目的とする。
【課題を解決するための手段】
【０００７】
本発明の請求項１に係る画像読取装置は、光を出射する光源と、前記光源から照射された光が入射する入射面と、被読取面に向けて光を出射する出射面と、前記入射面から入射した光を反射させて前記出射面へ導き且つ前記被読取面からの反射光を透過させる側面と、を備えた導光体と、前記被読取面からの反射光を受光して、前記被読取面の画像を読み取る読取手段と、を有する。
【０００８】
本発明の請求項２に係る画像読取装置は、前記導光体の側面の表面粗さは、ＪＩＳ−Ｂ−０６０１の算術平均粗さＲａで計測される表面粗さで０．１μｍ以下である。
【０００９】
本発明の請求項３に係る画像読取装置は、前記側面は、被読取面側の上側面と、該上側面と対向する下側面とを備え、前記上側面に入射した光は、前記下側面へと透過する。
【００１０】
本発明の請求項４に係る画像読取装置は、前記導光体は、前記側面の一部が、該導光体の上方に配置された上方部材に対して、前記被読取面からの反射光を前記読取手段に導く光路の光軸側に突出している。
【００１１】
本発明の請求項５に係る画像読取装置は、前記上方部材に設けられ、前記被読取面からの反射光の正反射成分を前記導光体に導く角度で配置された導光手段を有する。
【００１２】
本発明の請求項６に係る画像形成装置は、請求項１から５のいずれか１項に記載の画像読取装置と、前記画像読取装置の前記読取手段で読み取られた画像の情報に基づいて画像を形成する画像形成部と、を有する。
【００１３】
第１態様に係る画像読取装置は、列状に並べられ、光を出射する複数の光源と、前記複数の光源から照射された光を被読取面に導くと共に該被読取面からの反射光が透過するように配置された導光体と、前記導光体の上方に配置された上方部材に設けられ、前記被読取面からの反射光を前記導光体に導く導光手段と、前記被読取面からの反射光を受光して、前記被読取面の画像を読み取る読取手段と、を有する。
【００１４】
第２態様に係る画像読取装置は、前記導光体は、光の入射面から出射面までの少なくとも一部が、前記上方部材に対して、前記被読取面からの反射光を前記読取手段に導く光路の光軸側に突出している。
【００１５】
第３態様に係る画像読取装置は、前記光軸から前記上方部材の前記光軸側の端部までの水平距離を１２ｍｍ以上としている。
【００１６】
第４態様に係る画像読取装置は、前記導光体が透明である。
【００１７】
第５態様に係る画像形成装置は、第１態様から第４態様のいずれか１つに記載の画像読取装置と、前記画像読取装置の前記読取手段で読み取られた画像の情報に基づいて画像を形成する画像形成部と、を有する。
【発明の効果】
【００１８】
請求項１の発明は、被読取面からの反射光が導光体の内部を透過しない場合に比べて、被読取面からの反射光が再度被読取面に照射される光の光量を低減することができる。
【００１９】
請求項２の発明は、導光体の側面の表面粗さがＪＩＳ−Ｂ−０６０１の算術平均粗さＲａで計測される表面粗さで０．１μｍよりも大きい場合に比べて、被読取面からの反射光が再度被読取面に照射される光の光量を低減することができる。
【００２０】
請求項３の発明は、上側面から入射した光が下側面へ透過しない場合に比べて、被読取面からの反射光が再度被読取面に照射される光の光量を低減することができる。
【００２１】
請求項４の発明は、側面の一部が上方部材に対して光軸側に突出していない場合に比べて、被読取面からの反射光が再度被読取面に照射される光の光量を低減することができる。
【００２２】
請求項５の発明は、上方部材に導光手段が設けられていない場合に比べて、被読取面からの反射光が再度被読取面に照射される光の光量を低減することができる。
【００２３】
請求項６の発明は、被読取面からの反射光が導光体の内部を透過しない読取手段を用いた場合に比べて、画像の輝度差の低下を抑えることができる。
【００２４】
第１態様の構成によれば、被読取面からの反射光が導光体の内部を透過しない場合に比べて、被読取面からの反射光が再度被読取面に照射される光の光量を低減することができる。
【００２５】
第２態様の構成によれば、入射面と出射面との間の部分が上方部材で覆われるものと比べて、被読取面から上方部材に到達する反射光の光量を低減させることができる。
【００２６】
第３態様の構成によれば、被読取面からの反射光を読取手段に導く光路の光軸に隣接して上方部材を設けた場合に比べて、被読取面から上方部材に到達する反射光の光量を低減させることができる。
【００２７】
第４態様の構成によれば、被読取面側から内部を視認できない導光体を用いる場合に比べて、導光体の内部での光の全反射効率の低減を抑えることができる。
【００２８】
第５態様の構成によれば、被読取面からの反射光が導光体の内部を透過しない読取手段を用いた場合に比べて、画像の輝度差の低下を抑えることができる。
【図面の簡単な説明】
【００２９】
【図１】本発明の実施形態に係る画像形成装置の全体図である。
【図２】本発明の実施形態に係る画像形成ユニットの構成図である。
【図３】本発明の実施形態に係る自動原稿搬送装置及び原稿読取装置の構成図である。
【図４】本発明の実施形態に係る原稿読取装置の主要部の斜視図である。
【図５】本発明の実施形態に係る原稿読取装置の主要部の内部の斜視図である。
【図６】本発明の実施形態に係る原稿読取装置の主要部の副走査方向の断面図である。
【図７】（ａ）本発明の実施形態に係る原稿読取装置の主要部の部分断面図である。（ｂ）本発明の実施形態に係る導光部材での光の透過状態を示す模式図である。
【図８】本発明の実施形態に係る原稿読取装置の主要部の副走査方向の断面図及び読み取り位置における光の相対強度分布を示すグラフである。
【図９】（ａ）第１比較例の原稿読取装置の主要部における光の進行状態を示す模式図である。（ｂ）本発明の実施形態に係る原稿読取装置の主要部における光の進行状態を示す模式図である。
【図１０】（ａ）第２比較例の原稿読取装置の主要部における光の進行状態を示す模式図である。（ｂ）本発明の実施形態に係る原稿読取装置の主要部における光の進行状態を示す模式図である。
【図１１】本発明の実施形態の他の実施例に係る原稿読取装置の主要部の部分断面図である。
【発明を実施するための形態】
【００３０】
本発明の実施形態に係る画像読取装置及び画像形成装置の一例について説明する。
【００３１】
（全体構成）
図１に示すように、本実施形態に係る画像形成装置１０の装置本体１０Ａの上部には、複数枚の読取原稿Ｇを１枚ずつ自動で搬送する自動原稿搬送装置１２と、１枚の読取原稿Ｇが載せられるプラテンガラス４３と、自動原稿搬送装置１２によって搬送され又はプラテンガラス４３に載せられた読取原稿Ｇの被読取面ＧＡ（図６、７参照）を読み取る画像読取装置の一例としての原稿読取装置１４とが設けられている。また、装置本体１０Ａの中央部には、画像形成装置１０の各部の動作を制御する制御部７１が設けられている。なお、図中に示す矢印ＵＰは鉛直方向上方を示し、矢印Ｈは水平方向を示している。
【００３２】
装置本体１０Ａの上下方向中央側には、互いに異なった色のトナー画像を形成する複数の画像形成ユニット３０が設けられている。さらに、画像形成ユニット３０の上側には、図中矢印Ａ方向に循環駆動しながら各色の画像形成ユニット３０で形成されたトナー画像が転写される無端状の中間転写ベルト３２が設けられている。なお、画像形成ユニット３０が画像形成部の一例に相当するものである。
【００３３】
画像形成ユニット３０としては、イエロー（Ｙ）、マゼンタ（Ｍ）、シアン（Ｃ）、黒（Ｋ）のトナー各色に対応して４つの画像形成ユニット３０Ｙ、３０Ｍ、３０Ｃ、３０Ｋが設けられており、最初に中間転写ベルト３２に転写されるイエロー（Ｙ）のトナー画像が形成される画像形成ユニット３０Ｙの位置が高く、最後に中間転写ベルト３２に転写される黒（Ｋ）のトナー画像が形成される画像形成ユニット３０Ｋの位置が低くなるように、画像形成ユニット３０Ｙ、３０Ｍ、３０Ｃ、３０Ｋは水平方向（矢印Ｈ方向）に対して傾斜した状態で並べられている。
【００３４】
これらの４つの画像形成ユニット３０Ｙ、３０Ｍ、３０Ｃ、３０Ｋは、基本的に、同じ部材で構成されている。なお、以下の説明では、各色を区別する場合には符号に各色に対応する文字（Ｙ、Ｍ、Ｃ、Ｋ）を付加し、特に区別しない場合には各色に対応する文字を省略する。
【００３５】
図２に示すように、各色の画像形成ユニット３０には、図示しない駆動手段によって回転する像保持体３４が設けられており、さらに、この像保持体３４の表面を帯電する一次帯電用の帯電部材３６が設けられている。
【００３６】
また、帯電部材３６に対して像保持体３４の回転方向の下流側には、帯電部材３６によって表面が帯電した像保持体３４の表面に各色に対応した光を露光して静電潜像を形成する露光装置４０が設けられ、露光装置４０に対して像保持体３４の回転方向の下流側には、像保持体３４の表面に形成された静電潜像を各色のトナーで現像し、トナー画像として可視化する現像器４２が設けられている。
【００３７】
なお、図１に示すように、中間転写ベルト３２の上方には、イエロー（Ｙ）、マゼンタ（Ｍ）、シアン（Ｃ）、黒（Ｋ）の各色の現像器４２に、各色のトナーを供給するトナーカートリッジ３８Ｙ、３８Ｍ、３８Ｃ、３８Ｋが設けられている。そして、黒（Ｋ）色のトナーを収容したトナーカートリッジ３８Ｋは、使用頻度に合わせて、他のカラーのトナーカートリッジ３８Ｙ、３８Ｍ、３８Ｃと比較して大型化されている。
【００３８】
一方、図２に示すように、中間転写ベルト３２を挟んで像保持体３４の反対側には、像保持体３４の表面に形成されたトナー画像を中間転写ベルト３２に転写するための一次転写部材４６が設けられている。さらに、像保持体３４から中間転写ベルト３２に転写されずに像保持体３４の表面に残留した残留トナー等を清掃するクリーニング装置４４が、像保持体３４の表面に接して、一次転写部材４６に対して像保持体３４の回転方向の下流側に設けられている。
【００３９】
この構成により、イエロー（Ｙ）、マゼンタ（Ｍ）、シアン（Ｃ）、黒（Ｋ）の各色の画像形成ユニット３０（Ｙ、Ｍ、Ｃ、Ｋ）に個別に設けられた露光装置４０（Ｙ、Ｍ、Ｃ、Ｋ）に各色の画像データが順次出力される。さらに、これらの露光装置４０（Ｙ、Ｍ、Ｃ、Ｋ）から画像データに応じて出射された光は、対応する像保持体３４の表面を露光し、像保持体３４の表面には静電潜像が形成される。像保持体３４の表面に形成された静電潜像は、現像器４２（Ｙ、Ｍ、Ｃ、Ｋ）によって、それぞれイエロー（Ｙ）、マゼンタ（Ｍ）、シアン（Ｃ）、黒（Ｋ）の各色のトナー画像として現像される。
【００４０】
さらに、像保持体３４の表面に順次形成されたイエロー（Ｙ）、マゼンタ（Ｍ）、シアン（Ｃ）、黒（Ｋ）の各色のトナー画像は、各色の画像形成ユニット３０（Ｙ、Ｍ、Ｃ、Ｋ）の上方に傾斜して配置される中間転写ベルト３２上に、一次転写部材４６によって多重に転写されるようになっている。
【００４１】
ここで、図１に示すように、中間転写ベルト３２は、中間転写ベルト３２に駆動力を付与する駆動ロール４８と、回転すると共に中間転写ベルト３２を裏面から支持する支持ロール５０と、中間転写ベルト３２に張力を付与する張力付与ロール５４と、第１従動ロール５６と、第２従動ロール５８とに予め定められた張力で巻き掛けられている。
【００４２】
さらに、中間転写ベルト３２の表面を清掃するクリーニング装置５２が、中間転写ベルト３２を挟んで駆動ロール４８の反対側に設けられており、このクリーニング装置５２は、装置本体１０Ａの前側（ユーザが立つ正面側）に設けられたフロントカバー（図示省略）を開放することで、装置本体１０Ａに脱着自在とされている。
【００４３】
また、水平方向（矢印Ｈ方向）に対して予め定められた角度だけ傾斜した状態で配置された中間転写ベルト３２の低位側の端部には、中間転写ベルト３２上に一次転写されたトナー画像を記録媒体としての記録シートＰに二次転写するための二次転写部材６０が、支持ロール５０とで中間転写ベルト３２を挟むように配置されている。つまり、二次転写部材６０と支持ロール５０とで挟んだ位置が、記録シートＰへトナー画像を転写する二次転写位置とされている。
【００４４】
支持ロール５０及び二次転写部材６０の上方には、二次転写部材６０によってトナー画像が転写されると共に搬送経路６２に沿って搬送される記録シートＰにトナー画像を定着させる定着装置６４が設けられている。定着装置６４は、記録シートＰの画像面側に配置された加熱ロールと、記録シートＰを加熱ロールに向けて加圧する加圧ロールとで構成されている。
【００４５】
さらに、定着装置６４に対して記録シートＰの搬送方向の下流側（以下単に「搬送方向下流側」という）には、トナー画像が定着した記録シートＰを搬送する搬送ロール６６が設けられ、搬送ロール６６の搬送方向下流側には、記録シートＰの搬送方向を切り替える切替ゲート６８が設けられている。また、切替ゲート６８の搬送方向下流側には、一の方向に切り替えられた切替ゲート６８によって案内される記録シートＰを第１排出部６９に排出する第１排出ロール７０が設けられている。
【００４６】
さらに、切替ゲート６８の搬送方向下流側には、他の方向に切り替えられた切替ゲート６８によって案内され搬送ロール７３により搬送される記録シートＰを第２排出部７２に排出する第２排出ロール７４と、記録シートＰを第３排出部７６に排出する第３排出ロール７８が設けられている。
【００４７】
一方、二次転写部材６０に対して記録シートＰの搬送方向の上流側（以下単に「搬送方向上流側」という）には、記録シートＰが収容される給紙部８０、８２、８４、８６が設けられ、各給紙部８０、８２、８４、８６には、サイズの異なる記録シートＰが収容されている。
【００４８】
さらに、各給紙部８０、８２、８４、８６には、収容された記録シートＰを各給紙部８０、８２、８４、８６から搬送経路６２に持ち出す給紙ロール８８が設けられ、給紙ロール８８の搬送方向下流側には、記録シートＰを１枚ずつ搬送する搬送ロール９０及び搬送ロール９２が設けられている。また、搬送ロール９２の搬送方向下流側には、記録シートＰを一端停止させ、予め定められたタイミングで二次転写位置へ送り出す位置調整ロール９４が設けられている。
【００４９】
一方、記録シートＰの両面に画像を形成させるために、記録シートＰを反転させて搬送する両面用搬送ユニット９８が二次転写位置の側方に設けられており、両面用搬送ユニット９８には、搬送ロール７３を逆転させることで搬送される記録シートＰが送り込まれる反転経路１００が設けられている。そして、反転経路１００に沿って複数の搬送ロール１０２が設けられ、これらの搬送ロール１０２によって搬送された記録シートＰは表裏が反転された状態で、再度位置調整ロール９４へと搬送される構成となっている。
【００５０】
また、両面用搬送ユニット９８の隣りには、折り畳み式の手差給紙部１０６が設けられている。そして、開放された折り畳み式の手差給紙部１０６から給紙される記録シートＰを搬送する給紙ロール１０８及び搬送ロール１１０、１１２が設けられており、搬送ロール１１０、１１２で搬送された記録シートＰは、位置調整ロール９４に搬送されるようになっている。
【００５１】
次に、自動原稿搬送装置１２の構成について説明する。
【００５２】
図３に示すように、自動原稿搬送装置１２は、複数枚の読取原稿Ｇが上面に積載される原稿台１３と、原稿台１３から読取原稿Ｇを１枚ずつ送り出す送出ロール１５と、送出ロール１５により送り出された読取原稿Ｇを更に下流側まで搬送する第１搬送ロール１７と、を有している。
【００５３】
また、自動原稿搬送装置１２は、原稿台１３から送り出された読取原稿Ｇが最初に搬送される第１搬送路１９を有している。第１搬送路１９には、１枚ずつに分離された読取原稿Ｇを下流側のロールまで搬送する第２搬送ロール２１、読取原稿Ｇを更に下流側のロールまで搬送すると共にループ形成を行う第３搬送ロール２３、一旦、停止した後に読み込みタイミングを合わせて回転を再開し、原稿読取装置１４に対して読取原稿Ｇの先端位置調整を施しながら読取原稿Ｇを供給する位置調整ロール２５、読み取り中の読取原稿Ｇの搬送を補助する補助ロール２７、及び読み取られた読取原稿Ｇを更に下流に搬送する第４搬送ロール２９が設けられている。なお、第１搬送路１９には、搬送される読取原稿Ｇを案内するガイド部材が設けられているが、図示を省略している。
【００５４】
第４搬送ロール２９の下流側には、第２搬送路３１が設けられており、第２搬送路３１の下流側には、読み取りが終了した読取原稿Ｇを排出部３３へ排出させる排出ロール３５が設けられている。
【００５５】
一方、第２搬送路３１の下流側から第３搬送ロール２３に向かって、第２搬送路３１を経由した読取原稿Ｇを反転させるための第３搬送路３７が形成されている。そして、第２搬送路３１と第３搬送路３７との分岐位置には、読取原稿Ｇの搬送経路を第２搬送路３１又は第３搬送路３７に切り替える切替ゲート３９が設けられている。
【００５６】
ここで、送出ロール１５は、図示しないモータを含む駆動手段で上昇又は下降が行われるようになっており、画像形成装置１０の待機中には上昇して退避位置に保持され、読取原稿Ｇの搬送中には下降して原稿台１３上の最上位の読取原稿Ｇを搬送する。また、送出ロール１５および第１搬送ロール１７は、クラッチ機構（図示省略）の連結によって回転し読取原稿Ｇの搬送を行う。
【００５７】
第１搬送ロール１７、第２搬送ロール２１、及び第３搬送ロール２３は、停止している位置調整ロール２５に読取原稿Ｇの先端を突き当ててループを形成する。位置調整ロール２５では、ループ形成中に、位置調整ロール２５に噛み込んだ読取原稿Ｇの先端位置を調整する。この読取原稿Ｇのループ形成によって、読み込みタイミングの調整が図られ、また、読み込み中における読取原稿Ｇのずれ（スキュー）が抑制される。そして、読み込みの開始タイミングに合わせて、停止されていた位置調整ロール２５が回転を開始することで、読取原稿Ｇの読み取りが開始される。
【００５８】
切替ゲート３９は、読取原稿Ｇの片面の読み取りを開始するときに端部が上側に配置され、第４搬送ロール２９を経由した読取原稿Ｇを排出部３３に排出するように切り替えられる。一方、切替ゲート３９は、読取原稿Ｇの両面を順次読み取るときには、読取原稿Ｇを反転させるために第３搬送路３７に読取原稿Ｇを導くように端部が下降する。これにより、読取原稿Ｇは、第３搬送路３７を経由して再度第１搬送路１９に導かれる。
【００５９】
次に、原稿読取装置１４の構成について説明する。
【００６０】
原稿読取装置１４は、自動原稿搬送装置１２の下部に設けられた筐体４１の上部にプラテンガラス４３が取り付けられている。プラテンガラス４３は、読取原稿Ｇを静止させた状態で載せる第１プラテンガラス４３Ａと、搬送中の読取原稿Ｇを読み取るための光の透過部を形成する第２プラテンガラス４３Ｂとで構成されている。
【００６１】
また、原稿読取装置１４は、読取原稿Ｇの被読取面ＧＡ（図６参照）の画像を読み込むために発光する発光素子６１と、発光素子６１から出射された光を読取原稿Ｇの被読取面ＧＡに導く導光部材６５と、導光部材６５から出射され被読取面ＧＡで反射された光を反射する第１ミラー７５と、が取り付けられた第１キャリッジ１８と、第１キャリッジ１８の第１ミラー７５から入射された光を結像部２０へ導く第２ミラー４５Ａ及び第３ミラー４５Ｂが取り付けられた第２キャリッジ２２と、を有している。なお、結像部２０は、読取手段の一例に相当する。
【００６２】
第１キャリッジ１８は、初期位置である第２プラテンガラス４３Ｂの下（読取原稿Ｇの搬送面の下）に停止し、又は第１プラテンガラス４３Ａの全体に亘って読取原稿Ｇの被読取面ＧＡ（図７参照）に沿って移動しながら、発光素子６１の発光により読取原稿Ｇに光Ｌを照射して、読取原稿Ｇで反射された光Ｌを第２キャリッジ２２に導く。なお、第１キャリッジ１８の詳細な構成については後述する。
【００６３】
第２キャリッジ２２は、第１キャリッジ１８の第１ミラー７５から入射された光Ｌを下方へ反射する第２ミラー４５Ａと、第２ミラー４５Ａで反射された光Ｌを矢印Ｘ方向に折り返す第３ミラー４５Ｂとを有している。
【００６４】
結像部２０は、第３ミラー４５Ｂによって折り返された光Ｌ（光学像）を結像する結像用レンズ２４と、結像用レンズ２４によって結像された光学像を光電変換する光電変換素子２６とを有しており、光電変換素子２６によって変換された電気信号（画像信号）は、光電変換素子２６と電気的に接続された画像処理装置２８に送られる。画像処理装置２８では電気信号が画像処理され、前述の制御部７１（図１参照）によって、露光装置４０（図２参照）へ、その画像処理された画像信号が送られるようになっている。
【００６５】
ここで、まず、第１プラテンガラス４３Ａに載せられた読取原稿Ｇの画像を読み取る場合には、第１キャリッジ１８と第２キャリッジ２２とが、移動距離２：１の割合で移動方向（矢印Ｘ方向）に移動する。このとき、第１キャリッジ１８の発光素子６１から読取原稿Ｇの被読取面ＧＡ（図７参照）に光Ｌが照射されると共に、被読取面ＧＡで反射された光Ｌが第２キャリッジ２２に導かれ、光Ｌは、第２ミラー４５Ａ、第３ミラー４５Ｂの順に反射されて結像用レンズ２４に導かれる。そして、結像用レンズ２４に導かれた光Ｌは、光電変換素子２６の受光面に結像される。なお、第２キャリッジ２２の移動距離が第１キャリッジ１８の移動距離の半分となっていることで、読取原稿Ｇの被読取面ＧＡから光電変換素子２６までの光Ｌの光路長は変化しない。
【００６６】
光電変換素子２６は１次元のセンサであり、移動方向（矢印Ｘ方向）と交差する方向における読取原稿Ｇの１ライン分を処理している。原稿読取装置１４では、移動方向と交差する方向の１ラインの読み取りが終了した後、移動方向に第１キャリッジ１８を移動させて読取原稿Ｇの次のラインを読み取る。これを読取原稿Ｇの全体に亘って実行することで、１ページの読み取りが完了する。なお、以後の説明では、第１キャリッジ１８及び第２キャリッジ２２の移動方向を副走査方向と記載し、移動方向と交差する方向を主走査方向と記載する。
【００６７】
一方、第２プラテンガラス４３Ｂ上で読取原稿Ｇの画像を読み取る場合には、自動原稿搬送装置１２によって搬送される読取原稿Ｇが第２プラテンガラス４３Ｂの上を通過する。このとき、第１キャリッジ１８と第２キャリッジ２２は、原稿読取装置１４の一方端（図３の左端）に示す実線の読み取り位置に停止した状態にある。この読み取り位置において、まず、搬送されてきた読取原稿Ｇの１ライン目で反射された光Ｌが結像用レンズ２４で結像され、光電変換素子２６によって画像が読み込まれる。即ち、１次元のセンサである光電変換素子２６によって主走査方向の１ライン分を処理した後、搬送される読取原稿Ｇの次の主走査方向の１ラインが読み込まれる。そして、読取原稿Ｇの後端が第２プラテンガラス４３Ｂの読み取り位置を通過することによって、副走査方向に亘って読取原稿Ｇの１ページの読み取りが完了する。
【００６８】
（要部構成）
次に、第１キャリッジ１８の構成について説明する。
【００６９】
図４に示すように、第１キャリッジ１８は、主走査方向（矢印Ｙ方向）に間隔をあけて対向配置された２枚の側板５５Ａ、５５Ｂの上部に、主走査方向を長手方向として副走査方向（矢印Ｘ方向）に間隔をあけて配置された板金である第１ホルダー５１及び第２ホルダー５３の両端部が取り付けられて構成されている。また、側板５５Ａ、５５Ｂには、第３ホルダー４７、第４ホルダー４９が取り付けられている。ここで、第１ホルダー５１は、上方部材の一例に相当する。
【００７０】
第１ホルダー５１及び第２ホルダー５３の上面は、第１キャリッジ１８の上面を形成しており、読取原稿Ｇの被読取面ＧＡ（図６参照）と対向配置される。なお、側板５５Ａと側板５５Ｂの主走査方向の配置間隔は、読取原稿Ｇ（図１参照）の主走査方向の画像形成領域の幅よりも大きくなっている。
【００７１】
第１ホルダー５１は、副走査方向の断面がＬ字状となっており、第１キャリッジ１８の上面としての上壁５１Ａと、第１キャリッジ１８の副走査方向（移動方向）前方の側壁５１Ｂとで構成されている。上壁５１Ａの端部は、下方側へ向けて折り曲げられている。また、第１ホルダー５１の内側で側壁５１Ｂの下部には、主走査方向を長手方向として副走査方向の断面が逆レ字状のブラケット５７の一方の平面部５７Ａがネジ７７で固定されている。
【００７２】
図５に示すように、ブラケット５７の他方の傾斜配置された平面部５７Ｂには、主走査方向を長手方向とする回路基板５９Ａ上に光源の一例である発光素子６１が主走査方向に沿って列状に複数並べられた発光部５９が取り付けられている。回路基板５９Ａは、端部に接続されたフレキシブル基板６３を介して制御部７１（図１参照）から給電されるようになっている。なお、本実施形態では、発光素子６１としてＬＥＤ（Ｌｉｇｈｔ  Ｅｍｉｔｔｉｎｇ  Ｄｉｏｄｅ）素子を用いている。
【００７３】
ここで、画像形成装置１０の制御部７１（図１参照）には、発光部５９を駆動させるための光源駆動回路（図示省略）が内蔵されている。この光源駆動回路は、各発光素子６１から読取原稿Ｇ（図１参照）に照射される光の光量を調整する抵抗器を備えている。そして、光源駆動回路は、発光素子６１の発光のオン及びオフを制御するための光源駆動信号、及び光の光量を調整するための調整信号に基づいて発光部５９を駆動するようになっている。
【００７４】
図６に示すように、各発光素子６１は、読取原稿Ｇの被読取面ＧＡに対して予め定められた角度で傾斜配置されている。これにより、発光素子６１から読取原稿Ｇに向けて出射された光は、読取原稿Ｇの被読取面ＧＡに対して予め定められた傾斜方向から入射して散乱されるため、読取原稿Ｇの被読取面ＧＡに対して垂直に光を入射した場合に比べて、読取原稿Ｇの下地（白）での正反射が抑えられ、画像の輝度差（コントラスト）の低下が抑えられている。
【００７５】
また、第１キャリッジ１８内には、各発光素子６１の発光面と対向して、主走査方向を長手方向とする導光体の一例に相当する導光部材６５が配設されている。導光部材６５は、一例として、アクリル樹脂を直方体状に成形したものであり、主走査方向の両端部が側板５５Ａ、５５Ｂで支持されている。また、導光部材６５は、指向性を有する光を少なくとも主走査方向に拡散させると共に、発光素子６１から出射された光を読取原稿Ｇ（図１参照）の読取位置近くまで導くようになっている。
【００７６】
これにより、導光部材６５の発光素子６１と対向する面とは反対側の光出射面６５Ａでは、発光部５９の発光素子６１からの光が内部で全反射して出射するようになっており、光出射面６５Ａにおける光量分布のばらつきが抑えられている。導光部材６５の他の材料としては、ポリカーボネート樹脂、ポリイミド樹脂、ガラス等がある。
【００７７】
導光部材６５の光出射面６５Ａには、透光性を有する拡散板６７が接合されている。拡散板６７は、一例としてアクリル樹脂で構成されており、拡散板６７の光の出射面には、導光部材６５の光出射面６５Ａから入射した光を拡散させる凹凸（図示省略）が形成されている。この凹凸パターンの形状を変化させることより、拡散板６７から出射した光は、円形又は楕円形に整形される。なお、拡散板６７の他の材料としては、ポリカーボネート樹脂、ポリエステル樹脂、ガラス等がある。
【００７８】
一方、拡散板６７から副走査方向へ予め定められた距離だけ離間した位置には、拡散板６７から出射された光を反射して読取原稿Ｇの読取位置（被読取面ＧＡ）まで導く反射板７９が配置されている。反射板７９は、主走査方向を長手方向とする鏡面体であり、光の反射面とは反対側の面が第２ホルダー５３の傾斜面に固定されている。
【００７９】
また、導光部材６５及び拡散板６７よりも下方側には、読取原稿Ｇで反射された光を第２キャリッジ２２の第２ミラー４５Ａ（図３参照）に導く第１ミラー７５が設けられている。第１ミラー７５は、側板５５Ａ、５５Ｂ（図４参照）に形成された穴部に両端部が挿通されて保持されている。
【００８０】
第１キャリッジ１８において、各発光素子６１から出射された光Ｌは、導光部材６５の内部を全反射しながら進み拡散板６７で拡散される。ここで、読取原稿Ｇの被読取面ＧＡで反射され第１ミラー７５に向かう光Ｌの光軸を光軸ＬＴとすると、拡散板６７で拡散された光Ｌの一部は、第２プラテンガラス４３Ｂを通って光軸ＬＴの一方側から読取原稿Ｇに照射され、光Ｌの残りは、反射板７９で反射された後に第２プラテンガラス４３Ｂを通って光軸ＬＴの他方側から読取原稿Ｇに照射される。そして、読取原稿Ｇに照射された光Ｌは、読取原稿Ｇの被読取面ＧＡで反射された後に第１ミラー７５で反射されて、図３に示すように、第２キャリッジ２２から結像用レンズ２４を経て光電変換素子２６で結像され、画像情報の読み取りが行われる。なお、図６において、光軸ＬＴが、読取原稿Ｇの被読取面ＧＡからの反射光を結像部２０に導く光路の光軸の一例に相当する。
【００８１】
次に、導光部材６５の詳細について説明する。なお、図７以降では、ブラケット５７及び側板５５Ａの図示を省略した部分図で説明する。
【００８２】
図７（ｂ）に示すように、導光部材６５は、発光素子６１（図７（ａ）参照）からの光Ｌが入射する光入射面６５Ｂと、光Ｌが出射する光出射面６５Ａと、厚さ方向で上方（読取原稿Ｇ側（図７（ａ）参照））に位置する上側面６５Ｃと、上側面６５Ｃと対向すると共に上側面６５Ｃの下方に位置する下側面６５Ｄとを有している。上側面６５Ｃ及び下側面６５Ｄは、光Ｌが全反射するように予め表面粗さが設定されており、導光部材６５全体が無色で透明となっている。
【００８３】
ここで、本実施形態では、ＪＩＳ−Ｋ−７３６１−１：１９９７のプラスチック−透明材料の全光線透過率の試験方法（第１部：シングルビーム法）によって測定された光の透過率が８０％以上であるものを透明な部材と規定している。なお、導光部材６５は、透明な部材であることが望ましいが、光の透過率が８０％以下のものを用いてもよい。
【００８４】
また、導光部材６５の上側面６５Ｃ及び下側面６５Ｄの表面粗さは、一例として、ＪＩＳ−Ｂ−０６０１の算術平均粗さＲａで計測される表面粗さで０．１μｍ以下となるように設定することが望ましい。導光部材６５の上側面６５Ｃから読取原稿Ｇへの光Ｌの再反射を抑えるという点では、上側面６５Ｃの表面粗さを０．１μｍよりも粗くして、外側から入射する光Ｌを散乱させることも一つの手段として考えられるが、この場合、導光部材６５内部での全反射に影響を与えるため、表面粗さの上限を設定しておく必要がある。なお、導光部材６５をＲａ０．１μｍ以下の表面粗さに仕上げる方法としては、例えば、射出成形を用いれば良い。
【００８５】
ここで、導光部材６５が透明であるため、図７（ｂ）に示すように、導光部材６５では、上側面６５Ｃに入射角α（臨界角よりも小さな角度）で入射した光ＬＣが、上側面６５Ｃにおいて屈折角βで屈折すると共に導光部材６５内部を透過し、下側面６５Ｄで再び屈折して、下側面６５Ｄよりも下方へ進むことになる。
【００８６】
一方、図７（ａ）に示すように、導光部材６５は、光入射面６５Ｂから光出射面６５Ａまでの上側面６５Ｃの一部が、導光部材６５の上方にある第１ホルダー５１（上壁５１Ａ）に対して光軸ＬＴ側に突出しており、被読取面ＧＡからの反射光が入射すると共に透過するように配置されている。なお、導光部材６５は、第１ホルダー５１に対して全体が光軸ＬＴ側に突出している必要は無く、被読取面ＧＡからの反射光が入射して透過するように、少なくとも光入射面６５Ｂから光出射面６５Ａまでの上側面６５Ｃの一部が第１ホルダー５１の端部５１Ｃから突出していればよい。
【００８７】
次に、第１ホルダー５１の端部５１Ｃの位置について説明する。
【００８８】
図８には、第１キャリッジ１８の副走査方向の断面図、及び読取原稿Ｇの読み取り位置Ｘ０を中心として、読取原稿Ｇの被読取面ＧＡに照射される光Ｌ（ＬＡ、ＬＢ含む）の副走査方向における相対強度の変化をシミュレーションにより算出した結果のグラフが示されている。
【００８９】
光Ｌの副走査方向の強度分布のグラフでは、読み取り位置Ｘ０が強度分布中心となっており、読み取り位置Ｘ０から副走査方向に位置が離れるほど相対強度が低下している。ここで、読み取り位置Ｘ０での光Ｌの相対強度を１００％として、読み取り位置Ｘ０から相対強度が１０％となる位置Ｘ３までの距離Ｗ１を算出したところ、Ｗ１＝１２ｍｍであった。また、読み取り位置Ｘ０から相対強度が７％となる位置Ｘ４までの距離Ｗ２を算出したところ、Ｗ２＝１５ｍｍであった。
【００９０】
相対強度が１０％以上となる領域では読取原稿Ｇで反射された光Ｌの強度が高いため、仮にこの領域（相対強度が１０％以上となる領域）内に上方部材が設けられていると、上方部材の上面で光の再反射がおこり、前述のように、光電変換素子２６（図１参照）において画像の輝度差（コントラスト）の低下が生じることになる。このため、本実施形態の第１キャリッジ１８では、読み取り位置Ｘ０を通る光軸ＬＴから第１ホルダー５１の上面端部までの距離（ここでは水平距離ｄとする）をｄ＝Ｗ１＝１２ｍｍとしている。なお、水平距離ｄは１２ｍｍ以上であることが望ましいが、さらに水平距離ｄ≧１５ｍｍとして、相対強度が７％以下となるように設定するとよい。水平距離ｄの上限値は、第１キャリッジ１８における第１ホルダー５１の設置領域に基づいて決定される。
【００９１】
一方、副走査方向で読み取り位置Ｘ０から反射板７９側では、反射板７９が第１ホルダー５１の端部５１Ｃよりも光軸ＬＴに近い配置となっているが、反射板７９の取り付け位置については、拡散板６７から出射された光ＬＢの反射状態に基づいて設定されるため、光軸ＬＴから反射板７９までの距離が１２ｍｍ以内であってもよい。
【００９２】
次に、第１キャリッジ１８における光Ｌの進行について説明する。なお、ここでは、第１プラテンガラス４３Ａ上に読取原稿Ｇがある場合について説明する。
【００９３】
図７（ａ）に示すように、第１プラテンガラス４３Ａ上に読取原稿Ｇが載せられて読み取り動作が開始されると、第１キャリッジ１８が副走査方向（矢印Ｘ方向）に移動すると共に発光素子６１が発光する。そして、発光素子６１から出射された光Ｌは、予め定められている発散角で拡がりながら光入射面６５Ｂから導光部材６５内部に入射する。導光部材６５の内部では、光Ｌが臨界角より大きい角度で進むため、光Ｌは上側面６５Ｃ及び下側面６５Ｄで全反射しながら光出射面６５Ａへ進むことになる。
【００９４】
続いて、導光部材６５の光出射面６５Ａから出射された光Ｌは、拡散板６７で拡散され、一部が光ＬＡとして読取原稿Ｇに向かって進むと共に、残りが光ＬＢとして反射板７９に向かって進み、反射板７９で反射される。光ＬＡ及び光ＬＢは、それぞれ第１プラテンガラス４３Ａに入射して屈折すると共に読取原稿Ｇの被読取面ＧＡにおける読み取り位置Ｘ０に照射される。なお、読み取り位置Ｘ０は、読取原稿Ｇに照射された光Ｌの強度分布の中心位置であり、光軸ＬＴ上にある。
【００９５】
続いて、読取原稿Ｇの読み取り位置Ｘ０で反射され拡散光となった光Ｌのうち、光軸ＬＴに沿って進む光Ｌは、読取原稿Ｇの表面から第１ミラー７５に向かい、第１ミラー７５で反射される。そして、図３に示すように、第２キャリッジ２２から結像用レンズ２４を経て光電変換素子２６で結像される。
【００９６】
次に、本実施形態の作用について説明する。
【００９７】
まず、光Ｌが上側面２０２Ａで反射する導光部材２０２を用いた第１比較例と、本実施形態との差異について説明する。
【００９８】
図９（ａ）には、本実施形態の第１キャリッジ１８との第１比較例である第１キャリッジ２００が示されている。第１キャリッジ２００は、発光素子６１から出射された光Ｌを読取原稿Ｇに導く直方体状の導光部材２０２を有している。なお、第１キャリッジ２００は、本実施形態の第１キャリッジ１８において、導光部材６５が導光部材２０２に置き換えられたものであるため、導光部材２０２の他の部材については同じ符号を付与して説明を省略する。また、光Ｌの反射経路を分かり易くするため、発光素子６１から読み取り位置Ｘ０までの光Ｌの光路の図示を省略する。
【００９９】
導光部材２０２は、内部で光Ｌを全反射するものの、読取原稿Ｇ側に位置する上側面２０２Ａが本実施形態の導光部材６５の表面よりも粗く不透明となっており、上側面２０２Ａに入射する光Ｌが反射されるものである。
【０１００】
ここで、第１キャリッジ２００では、読み取り位置Ｘ０に照射された光Ｌが読取原稿Ｇで反射されて拡散光となる。この拡散された光Ｌのうち、光軸ＬＴに沿って第１ミラー７５に向かう光Ｌは、第１ミラー７５で反射される。また、拡散板６７から出射され反射板７９で反射された光ＬＦは、読取原稿Ｇの被読取面ＧＡに照射されると共に、矢印Ｘ方向で読み取り位置Ｘ０から反射板７９側にずれた反射位置Ｘ１で反射されて拡散光となる。この拡散された光ＬＦのうち拡散板６７に向かう光は、拡散板６７を透過して導光部材２０２内に入射するが、導光部材２０２の発光素子６１側の端面から外側へ出射されるため、読み取りには影響を与えない。
【０１０１】
一方、導光部材２０２から出射されると共に拡散板６７で拡散され、読取原稿Ｇに直接向かう光Ｌの一部は、光ＬＧのように、矢印Ｘ方向で読み取り位置Ｘ０から導光部材２０２側にずれた反射位置Ｘ２に向かうと共に、反射位置Ｘ２で反射されて拡散光となる。この拡散された光ＬＧのうち、導光部材２０２の上側面２０２Ａに向かう光ＬＧは、上側面２０２Ａが粗く不透明となっているために上側面２０２Ａで反射され、再度、読取原稿Ｇの被読取面ＧＡに照射されることになる。
【０１０２】
読取原稿Ｇに再び照射された光ＬＧは、読取原稿Ｇ上の画像からの反射光（拡散光）の強度を変動させ、特に、画像の黒塗り部の周縁において、読取原稿Ｇの下地（白）からの反射光の強度と画像（黒）からの反射光の強度との差を低下させる。これにより、光電変換素子２６（図３参照）で光電変換された画像では、読取原稿Ｇの下地と画像との輝度差（コントラスト）が低下し、画像の輪郭がぼやけるといった現象が生じることになる。
【０１０３】
次に、図９（ｂ）に示すように、本実施形態の第１キャリッジ１８について説明する。なお、光Ｌの反射経路を分かり易くするため、発光素子６１から読み取り位置Ｘ０までの光Ｌの光路の図示を省略する。
【０１０４】
第１キャリッジ１８では、前述のように、読取原稿Ｇで反射された拡散光のうち、光軸ＬＴに沿って第１ミラー７５に向かった光Ｌが第１ミラー７５で反射される。また、拡散板６７から出射されて反射板７９で反射された光ＬＤは、読取原稿Ｇの被読取面ＧＡに照射されると共に、矢印Ｘ方向で読み取り位置Ｘ０から反射板７９側にずれた反射位置Ｘ１で反射されて拡散光となる。この拡散された光ＬＤのうち、拡散板６７に向かう光ＬＤは、拡散板６７を透過して導光部材６５内に入射するが、光入射面６５Ｂから外側へ出射されるため、読み取りには影響を与えない。
【０１０５】
一方、導光部材６５から出射されると共に、拡散板６７で拡散されて読取原稿Ｇに直接向かう光Ｌの一部は、光ＬＥのように、矢印Ｘ方向で読み取り位置Ｘ０から導光部材６５側にずれた反射位置Ｘ２で反射されて拡散光となる。この拡散された光ＬＥのうち、導光部材６５の上側面６５Ｃに向かう光ＬＥは、導光部材６５が透明であるため上側面６５Ｃで反射されず、上側面６５Ｃに臨界角よりも小さな角度で入射すると共に屈折して導光部材６５内部を透過し、下側面６５Ｄから下側へ進むことになる。これにより、光ＬＥが読取原稿Ｇの被読取面ＧＡに再び照射されることが抑えられ、読取原稿Ｇ上の画像からの反射光（拡散光）の強度の変動が小さくなる。そして、光電変換素子２６（図３参照）で光電変換された画像における輝度差（コントラスト）の低下が小さくなる。
【０１０６】
次に、導光部材６５を用いると共に第１ホルダー２１２の端部２１２Ａを本実施形態よりも光軸ＬＴに近づけた第２比較例と、本実施形態との差異について説明する。
【０１０７】
図１０（ａ）には、本実施形態の第１キャリッジ１８との第２比較例である第１キャリッジ２１０が示されている。なお、前述した第１比較例である第１キャリッジ２００（図９（ａ）参照）と基本的に同じ部品には、同じ符号を付与してその説明を省略する。また、光Ｌの反射経路を分かり易くするため、発光素子６１から読み取り位置Ｘ０までの光Ｌの光路の図示を省略する。
【０１０８】
第１キャリッジ２１０は導光部材６５を有しており、第１キャリッジ２００（図９（ａ）参照）の第１ホルダー５１に換えて第１ホルダー２１２が設けられた構成となっている。第１ホルダー２１２は、主走査方向を長手方向、副走査方向（矢印Ｘ方向）を幅方向とし、副走査方向の断面がＬ字状の板金で構成されている。また、第１ホルダー２１２の上面は、第１キャリッジ２１０の上面を形成すると共に読取原稿Ｇと対向配置され、上面の端部２１２Ａが下方側へ向けて折り曲げられている。
【０１０９】
第１キャリッジ２１０では、読み取り位置Ｘ０を通る光軸ＬＴから第１ホルダー２１２の上面の端部２１２Ａまでの水平距離ｄ＝Ｗ３＝９ｍｍとなっている。つまり、第１ホルダー２１２の上面の端部２１２Ａは、本実施形態の第１ホルダー５１の上面端部５１Ｃに比べて読み取り位置Ｘ０に近づいている。
【０１１０】
ここで、第１キャリッジ２１０では、読み取り位置Ｘ０に照射された光Ｌが読取原稿Ｇで反射されて拡散光となる。この拡散された光Ｌのうち、光軸ＬＴに沿って第１ミラー７５に向かう光Ｌは、第１ミラー７５で反射される。
【０１１１】
一方、導光部材６５から出射されると共に拡散板６７で拡散されて読取原稿Ｇに直接向かう光Ｌのうち、光ＬＧ（図９（ａ）参照）の拡散角よりも大きい拡散角度で出射された光ＬＨは、矢印Ｘ方向で反射位置Ｘ２（図９（ａ）参照）よりも光軸ＬＴから離れる側にずれた反射位置Ｘ５で反射されて拡散光となる。この拡散された光ＬＨは、第１ホルダー２１２が導光部材６５に近づけて配置されているため、第１ホルダー２１２の上面で反射され、読取原稿Ｇの被読取面ＧＡに再び照射されることになる。これにより、読取原稿Ｇの下地（白）からの反射光の強度と画像（黒）からの反射光の強度との差が低下し、読取原稿Ｇの下地と画像との輝度差（コントラスト）が低下して、画像の輪郭がぼやけるといった現象が生じることになる。
【０１１２】
次に、図１０（ｂ）に示すように、本実施形態の第１キャリッジ１８について説明する。なお、光Ｌの反射経路を分かり易くするため、発光素子６１から読み取り位置Ｘ０までの光Ｌの光路の図示を省略する。
【０１１３】
第１キャリッジ１８では、前述のように、読取原稿Ｇで反射された拡散光のうち、光軸ＬＴに沿って第１ミラー７５に向かった光Ｌが第１ミラー７５で反射される。また、導光部材６５から出射されると共に拡散板６７で拡散されて読取原稿Ｇに直接向かう光Ｌのうち、光ＬＥ（図９（ｂ）参照）の拡散角よりも大きい拡散角度で出射された光ＬＫは、矢印Ｘ方向で反射位置Ｘ２（図９（ｂ）参照）よりも外側にずれた反射位置Ｘ５で反射されて拡散光となる。ここで、光Ｌの相対強度が１０％より大きくなる読み取り位置Ｘ０から位置Ｘ３までの範囲に第１ホルダー５１が配置されていないため、拡散された光ＬＫは、第１ホルダー５１に照射されず、導光部材６５の上側面６５Ｃに臨界角よりも小さな角度で入射すると共に屈折して導光部材６５内部を透過し、下側面６５Ｄから下側へ進む。
【０１１４】
なお、仮に、拡散された光ＬＫの一部が第１ホルダー５１の上面に到達したとしても、光Ｌの相対強度が１０％以下となる範囲に第１ホルダー５１が配置されているため、第１ホルダー５１上面で反射して被読取面ＧＡに再び照射される光の強度は、読取原稿Ｇの読み取りにほとんど影響を与えないほど小さくなる。
【０１１５】
このように、本実施形態の第１キャリッジ１８では、光ＬＫが再び読取原稿Ｇの被読取面ＧＡに照射されることが抑えられ、読取原稿Ｇ上の画像からの反射光（拡散光）の強度の変動が小さくなる。そして、光電変換素子２６（図３参照）で光電変換された画像における輝度差（コントラスト）の低下が小さくなる。
【０１１６】
また、本実施形態の第１キャリッジ１８では、第１ホルダー５１の端部５１Ｃの位置を光軸ＬＴから離すことだけで読取原稿Ｇの被読取面ＧＡへの再度の照射光が低減するので、第１ホルダー５１の上面に光の反射を抑える表面処理を施す必要が無くなり、表面処理を行った物を用いる場合に比べて、安価な構成となる。
【０１１７】
なお、本発明は上記の実施形態に限定されない。
【０１１８】
図１１に示すように、屈曲部１３２Ａが形成された第１ホルダー１３２を有する第１キャリッジ１３０を用いてもよい。屈曲部１３２Ａは、上面端部が水平面に対して下方側へ鋭角（傾斜角度θ）に曲げられた部位である。ここで、第１キャリッジ１３０では、反射位置Ｘ２よりも読み取り位置Ｘ０側にある反射位置Ｘ６で反射された光ＬＭが、屈曲部１３２Ａで反射して導光部材６５に進み、導光部材６５内部を透過する。このように、反射された光ＬＭを導光部材６５側に導く導光手段を設けてもよい。
【０１１９】
また、第１キャリッジ１８は、第１ホルダー５１が導光部材６５の上方に無く、導光部材６５全体が露出したものであってもよい。
【０１２０】
導光部材６５の他の材料として、ポリカーボネート樹脂、ポリイミド樹脂、ガラス等を用いる他に、全反射すると共に光の透過率が８０％以上となる樹脂材料を用いてもよい。また、各実施形態は、第１プラテンガラス４３Ａ上での読取原稿Ｇの読み取りに限らず、第２プラテンガラス４３Ｂ上での読み取りであってもよい。
【符号の説明】
【０１２１】
１０  画像形成装置
１４  原稿読取装置（画像読取装置の一例）
２０  結像部（読取手段の一例）
３０  画像形成ユニット（画像形成部の一例）
５１  第１ホルダー（上方部材の一例）
６１  発光素子（光源の一例）
６５  導光部材（導光体の一例）
６５Ａ  光出射面（出射面の一例）
６５Ｂ  光入射面（入射面の一例）
６５Ｃ  上側面（側面の一例）
６５Ｄ  下側面（側面の一例）
１３２Ａ  屈曲部（導光手段の一例）
ＧＡ  被読取面
ＬＴ  光軸
【図１】
2014112905.tif 000003
【図２】
2014112905.tif 000004
【図３】
2014112905.tif 000005
【図４】
2014112905.tif 000006
【図５】
2014112905.tif 000007
【図６】
2014112905.tif 000008
【図７】
2014112905.tif 000009
【図８】
2014112905.tif 000010
【図９】
2014112905.tif 000011
【図１０】
2014112905.tif 000012
【図１１】
2014112905.tif 000013